(57)【特許請求の範囲】
【請求項１】
ケーブルの端末部分にコネクタが接続された構造のケーブルコネクタであって、次の各構成を有することを特徴とするケーブルコネクタ。
（イ）複数本の内部導体と、これら複数本の内部導体を被覆し保持する絶縁被覆と、を含んで成り、その端末部分が、前記複数本の内部導体それぞれが予め定められた長さ寸法だけ露出するように前記絶縁被覆が切除された構造である、ケーブル
（ロ）前記ケーブルの端末部分を、その複数本の内部導体それぞれが、その被覆切除部分のうちの先端から設定長さ寸法だけ露出するように保持する、ケーブル保持部
（ハ）それぞれが、前記ケーブルの、対応する内部導体の先端部分が接触接続するケーブル側接続部を備えて成る、複数のコンタクトと、これら複数のコンタクトを配列、保持するコンタクト保持部、前記ケーブル保持部をガイドして前記ケーブルの複数本の内部導体それぞれの先端部分が、その中心軸方向に前記複数のコンタクトそれぞれのケーブル側接続部に対応、加圧接触してこれら内部導体の露出部分がわん曲する位置まで、このケーブル保持部を移動させる導入移動部、及び、前記複数本の内部導体の露出部分が、隣接間で接触するのを回避する内部導体隣接間接触回避手段を含むコネクタインシュレータと、を備えたコネクタ部
（ニ）前記ケーブル保持部の移動終着点でこのケーブル保持部を前記コネクタ部に固定する、ケーブル・コネクタ間固定手段
【請求項２】
前記コネクタ部の、コネクタインシュレータの導入移動部が、前記ケーブル保持部を、前記複数のコンタクト配置方向に向って前記ケーブルの長手方向に導入、移動させる構造であり、かつ、この移動の終着点部分で、前記ケーブルの複数本の内部導体それぞれの先端部分をその長手方向の力で前記複数のコンタクトそれぞれのケーブル側接続部に対応、加圧接触させる構造である、請求項１記載のケーブルコネクタ。
【請求項３】
前記コネクタ部の、コネクタインシュレータの導入移動部が、前記ケーブルの複数本の内部導体それぞれの先端部分を前記コネクタ部の対応するコンタクトのケーブル側接続部に接触させた状態で、前記ケーブル保持部を、前記ケーブルの長手方向に対し垂直の方向に導入、移動させて、この移動の終着点部分で、前記ケーブルの複数本の内部導体それぞれの先端部分がその長手方向の力で前記複数のコンタクトそれぞれのケーブル側接続部に加圧接触する構造である、請求項１記載のケーブルコネクタ。
【請求項４】
前記ケーブル保持部が、インサート成形により一体形成された構造である、請求項１、２又は３記載のケーブルコネクタ。
【請求項５】
前記ケーブル保持部が、保持しているケーブルの、複数本の内部導体それぞれの中心軸を含む面で上下に分割できる構造である、請求項１、２又は３記載のケーブルコネクタ。
【請求項６】
前記ケーブルの複数本の内部導体それぞれが、前記ケーブル保持部内の絶縁被覆切除部分に、山型状にわん曲した山型わん曲部を含む構造である、請求項１、２、３、４又は５記載のケーブルコネクタ。
【請求項７】
前記ケーブルの複数本の内部導体それぞれの先端部分が、Ｕ字状に折り返されて、その頂点部分が前記コンタクトのケーブル側接続部に加圧接触する構造である、請求項１〜６のいずれか１項に記載のケーブルコネクタ。
【請求項８】
前記コネクタ部の、複数のコンタクトそれぞれが、そのケーブル側接続部につながってケーブル挿入方向に突出して、前記ケーブルの、対応する内部導体の先端部分をガイドする、ガイド用突起を備えた構造である、請求項１〜７のいずれか１項に記載のケーブルコネクタ。
【請求項９】
前記複数のコンタクトそれぞれの、前記ガイド用突起の先端部分から前記ケーブル側接続部へとつながる面が、徐々にその傾斜角を変化させる構造である、請求項８記載のケーブルコネクタ。
【請求項１０】
前記ケーブル・コネクタ間固定手段が、前記ケーブル保持部に、前記コネクタ部の複数のコンタクトと対応して明けられた、複数の圧入固定用孔と、前記複数のコンタクトそれぞれから延びて前記複数の圧入固定用孔に圧入される圧入用突出部と、を含んで成る、請求項１〜９のいずれか１項に記載のケーブルコネクタ。
【請求項１１】
前記コネクタ部のコネクタインシュレータが、そのコンタクト保持部の、隣接するコンタクト間に、前記内部導体隣接間接触回避手段としての隔壁を備えた構造である、請求項１〜１０のいずれか１項に記載のケーブルコネクタ。
【発明の詳細な説明】
【０００１】
【発明の属する技術分野】
本発明はケーブルコネクタに関し、特にケーブルの端末部分にコネクタがワンタッチで接続された構造のケーブルコネクタに属する。
【０００２】
【従来の技術】
ケーブルの端末部分にコネクタが接続された構造のケーブルコネクタは、電子装置間等を接続するために必要不可欠であり、その接続方法に適合した多くの種類のものが開発されている。このようなケーブルコネクタの従来の代表的な一例を図６（ａ）〜（ｃ）に示す。
この従来のケーブルコネクタは、その主要構成として、２本のケーブル１００ｘ，１００ｙと、コネクタ部３００ｘと、２つのケーブル圧入接続保持部６００ｘ，６００ｙと、を含み、その詳細は次のとおりである。
まず、コネクタ部３００ｘは、Ｕ字スロット３１６ｘを形成する圧接部３１５ｘを備えたコンタクト３１０ｘ、及びＵ字スロット３１６ｙを形成する圧接部３１５ｙを含んだコンタクト３１０ｙ、それぞれを複数個ずつ交互かつ千鳥状に、しかも上下２段に配列、保持し、その上下の配列に対し、ケーブル接続部３２５ｘ，３２５ｙが設けられている。
【０００３】
上段側のケーブル接続部３２５ｘには、複数本の内部導体１１０ｘそれぞれを予め定められた長さ寸法ずつ露出させたケーブル１００ｘを保持したケーブル圧入接続保持部６００ｘが挿入、嵌合し、ケーブル１００ｘの複数本の内部導体１１０ｘそれぞれを、対応するコンタクト３１０ｘ，３１０ｙのＵ字スロット３１６ｘ，３１６ｙに圧入し接続する。
【０００４】
下段側のケーブル接続部３２５ｙにも同様に、ケーブル１００ｙ及びケーブル圧入接続保持部６００ｙが挿入、嵌合し、下段側の複数のコンタクト３１０ｘ，３１０ｙとケーブル１００ｙの複数本の内部導体１１０ｙとが対応、接続される。
【０００５】
このケーブルコネクタでは、ケーブル１００ｘ，１００ｙそれぞれの複数本の内部導体１１０ｘ，１１０ｙを、そのままコンタクト３１０ｘ，３１０ｙのＵ字スロット３１６ｘ，３１６ｙに圧入する構造となっており、これらＵ字スロット３１６ｘ，３１６ｙを形成する２枚ずつの圧接部３１５ｘ（３１６ｘを形成），３１５ｙ（３１６ｙを形成）は、ケーブル１００ｘ，１００ｙの長手方向に対し垂直となる方向に、かつ複数の内部導体１１０ｘ，１１０ｙの配列と同一方向に配列されることになる。
【０００６】
【発明が解決しようとする課題】
上述した従来のケーブルコネクタは、コンタクト３１０ｘ（３１０ｙ）が、２枚の圧接部３１５ｘ（３１５ｙ）でＵ字スロット３１６ｘ（３１６ｙ）を形成して、これらＵ字状スロット３１６ｘ（３１６ｙ）にケーブル１００ｘ（１００ｙ）の内部導体１１０ｘ（１１０ｙ）がそのまま圧入されるようになっており、従って、２枚ずつの圧接部３１５ｘ（３１５ｙ）がケーブル１００ｘ（１００ｙ）の長手方向に垂直で、複数本の内部導体１１０ｘ，１１０ｙの配置方向と同一の方向に配置、配列される構造となるため、１本の内部導体１１０ｘ，１１０ｙに必要な幅寸法が大きくなり、図６のように千鳥型配置にしたとしても、狭ピッチ化、高密度化が困難である、という問題点があった。
【０００７】
本発明の目的は、上記従来技術の問題点に鑑みて、狭ピッチ化、高密度化を実現したケーブルコネクタを提供することにある。
【０００８】
【課題を解決するための手段】
本発明のケーブルコネクタは、ケーブルの端末部分にコネクタが接続された構造のケーブルコネクタであって、次の各構成を有することを特徴とする。
（イ）複数本の内部導体と、これら複数本の内部導体を被覆し保持する絶縁被覆と、を含んで成り、その端末部分が、前記複数本の内部導体それぞれが予め定められた長さ寸法だけ露出するように前記絶縁被覆が切除された構造である、ケーブル
（ロ）前記ケーブルの端末部分を、その複数本の内部導体それぞれが、その被覆切除部分のうちの先端から設定長さ寸法だけ露出するように保持する、ケーブル保持部
（ハ）それぞれが、前記ケーブルの、対応する内部導体の先端部分が接触接続するケーブル側接続部を備えて成る、複数のコンタクトと、これら複数のコンタクトを配列、保持するコンタクト保持部、前記ケーブル保持部をガイドして前記ケーブルの複数本の内部導体それぞれの先端部分が、その中心軸方向に前記複数のコンタクトそれぞれのケーブル側接続部に対応、加圧接触してこれら内部導体の露出部分がわん曲する位置まで、このケーブル保持部を移動させる導入移動部、及び、前記複数本の内部導体の露出部分が、隣接間で接触するのを回避する内部導体隣接間接触回避手段を含むコネクタインシュレータと、を備えたコネクタ部
（ニ）前記ケーブル保持部の移動終着点でこのケーブル保持部を前記コネクタ部に固定する、ケーブル・コネクタ間固定手段
【０００９】
また、前記コネクタ部の、コネクタインシュレータの導入移動部が、前記ケーブル保持部を、前記複数のコンタクト配置方向に向って前記ケーブルの長手方向に導入、移動させる構造であり、かつ、この移動の終着点部分で、前記ケーブルの複数本の内部導体それぞれの先端部分をその長手方向の力で前記複数のコンタクトそれぞれのケーブル側接続部に対応、加圧接触させる構造であるか、前記ケーブルの複数本の内部導体それぞれの先端部分を前記コネクタ部の対応するコンタクトのケーブル側接続部に接触させた状態で、前記ケーブル保持部を、前記ケーブルの長手方向に対し垂直の方向に導入、移動させて、この移動の終着点部分で、前記ケーブルの複数本の内部導体それぞれの先端部分がその長手方向の力で前記複数のコンタクトそれぞれのケーブル側接続部に加圧接触する構造である、構成を有している。
【００１０】
また、前記ケーブル保持部が、インサート成形により一体形成された構造であるか、保持しているケーブルの、複数本の内部導体それぞれの中心軸を含む面で上下に分割できる構造である、構成を有している。
【００１１】
また、前記ケーブルの複数本の内部導体それぞれが、前記ケーブル保持部内の絶縁被覆切除部分に、山型状にわん曲した山型わん曲部を含む構造である、構成を有し、更にまた、前記ケーブルの複数本の内部導体それぞれの先端部分が、Ｕ字状に折り返されて、その頂点部分が前記コンタクトのケーブル側接続部に加圧接触する構造である、構成を有している。
【００１２】
また、前記コネクタ部の、複数のコンタクトそれぞれが、そのケーブル側接続部につながってケーブル挿入方向に突出して、前記ケーブルの、対応する内部導体の先端部分をガイドする、ガイド用突起を備えた構造であり、更に前記複数のコンタクトそれぞれの、前記ガイド用突起の先端部分から前記ケーブル側接続部へとつながる面が、徐々にその傾斜角を変化させる構造である、構成を有している。
【００１３】
また、前記ケーブル・コネクタ間固定手段が、前記ケーブル保持部に、前記コネクタ部の複数のコンタクトと対応して明けられた、複数の圧入固定用孔と、前記複数のコンタクトそれぞれから延びて前記複数の圧入固定用孔に圧入される圧入用突出部と、を含んで成る、構成を有している。
【００１４】
また、前記コネクタ部のコネクタインシュレータが、そのコンタクト保持部の、隣接するコンタクト間に、前記内部導体隣接間接触回避手段としての隔壁を備えた構造である、構成を有している。
【００１５】
【発明の実施の形態】
本発明の一実施の形態は、ケーブルの端末部分にコネクタが接続された構造のケーブルコネクタであって、次の各構成を有している。
（イ）複数本の内部導体と、これら複数本の内部導体を被覆し保持する絶縁被覆と、を含んで成り、その端末部分が、上記複数本の内部導体それぞれが予め定められた長さ寸法だけ露出するように上記絶縁被覆が切除された構造である、ケーブル
（ロ）このケーブルの端末部分を、その複数本の内部導体それぞれが、その被覆切除部分のうちの先端から設定長さ寸法だけ露出するように保持する、ケーブル保持部
（ハ）それぞれが、上記ケーブルの、対応する内部導体の先端部分が接触接続するケーブル側接続部を備えて成る、複数のコンタクトと、これら複数のコンタクトを配列、保持するコンタクト保持部、上記ケーブル保持部をガイドして上記ケーブルの複数本の内部導体それぞれの先端部分が、その中心軸方向に上記複数のコンタクトそれぞれのケーブル側接続部に対応、加圧接触してこれら内部導体の露出部分がわん曲する位置まで、このケーブル保持部を移動させる導入移動部、及び、前記複数本の内部導体の露出部分が、隣接間で接触するのを回避する内部導体隣接間接触回避手段を含むコネクタインシュレータと、を備えたコネクタ部
（ニ）上記ケーブル保持部の移動終着点でこのケーブル保持部を上記コネクタ部に固定する、ケーブル・コネクタ間固定手段
【００１６】
このような構成、構造とすることにより、ケーブルの内部導体とコネクタ部のコンタクトとの間の接続構造が、内部導体の先端部分がその中心軸方向に、コンタクトのケーブル側接続部に加圧接触する構造となっているので、ケーブル内部導体のまわりに、内部導体・コンタクト間接続のためのスペースを設ける必要がなく、コネクタ部の複数のコンタクトの配置間隔をケーブルの内部導体配置間隔と同程度にすることができ、狭ピッチ化、高密度化することができる。
【００１７】
なお、ケーブル付きのケーブル保持部のコネクタ部への導入、移動方向としては、ケーブルの長手方向と同一方向と、ケーブルの長手方向に対し垂直な方向と、がある。
【００１８】
【実施例】
次に本発明の実施例について図面を参照して説明する。
図１（ａ），（ｂ）は本発明の第１の実施例を示す、嵌合接続前後の斜視図、図２（ａ）〜（ｃ）はその嵌合接続手順を示す断面側面図である。
この第１の実施例は、ケーブル１００、ケーブル保持部２００、コネクタ部３００、及びケーブル保持部２００とコネクタ部３００とに含まれて形成されたケーブル・コネクタ間固定部４００を有する構成となっており、これらの詳細は次のとおりである。
まず、ケーブル１００は、互いに平行にかつ同一平面上に配置された複数本の内部導体１１０と、これら内部導体１１０を、それぞれが予め定められた長さ寸法づつ露出するように配置し、保持する絶縁被覆１２０と、を備えた構成、構造であり、このケーブル１００の、複数本の内部導体１１０が露出した端末部分には、複数本の内部導体１１０それぞれがその先端から一定寸法づつ露出するように保持するケーブル保持部２００が設けられている。
【００１９】
次にコネクタ部３００は、それぞれが、対応する内部導体１１０と接触接続するケーブル側接続部３１１、このケーブル側接続部３１１の上部に、ケーブル１００の長手方向に突出したガイド用突起３１２、及びケーブル側接続部３１１の下部に、ケーブル１００の長手方向に延び出してその先端に圧入用突出部４２０が形成されたコンタクト３１０を複数個、ケーブル１００の複数本の内部導体１１０配置間隔で配置して、コネクタインシュレータ３２０のコンタクト保持部３２１で保持し、また、このコネクタインシュレータ３２０には、ケーブル保持部２００をケーブル１００の長手方向に挿入、移動させるケーブル導入保持部３２２と、複数のコンタクト３１０の、隣接コンタクト３１０間には、隔壁３２３が設けられている。
【００２０】
そして、ケーブル保持部２００が、コネクタインシュレータ３２０の、ケーブル導入保持部３２２を移動してその移動終点部分でこのコネクタインシュレータ３２０と嵌合し、そのとき、ケーブル１００の複数本の内部導体１１０それぞれが、その露出部分でわん曲するまで、対応するコンタクト３１０のケーブル側接続部３１１に、内部導体１００の中心軸方向に加圧接触する。この状態で内部導体１１０・コンタクト３１０間の加圧接触が維持されるように、ケーブル保持部２００には圧入固定用孔４１０が形成されていて、これにコンタクト３１０から延びた圧入用突出部４２０が圧入されて、ケーブル１００・コネクタ部３００間が固定される（ケーブル・コネクタ間固定部４００）。
【００２１】
また、複数本の内部導体１１０それぞれが、対応するコンタクト３１０のケーブル側接続部３１１に加圧接触してわん曲した場合でも、隔壁３２３によって隣接内部導体１１０間が接触しないようになっている。
【００２２】
この第１の実施例では、ケーブル１００が、その長手方向に挿入、移動して、その複数本の内部導体１１０の先端が複数のコンタクト３１０のケーブル側接続部３１１に加圧接触する構造となっているので、内部導体１１０・コンタクト３１０間接続のための、内部導体１１０のまわりのスペースをなくすことができ、コネクタ部３００のコンタクト３１０の配置、配列間隔をケーブル１００の、内部導体１１０の配置、配列間隔と同程度にすることができて、その全体の寸法を小さくすることができる。
すなわち、狭ピッチ化、高密度化を実現することができる。
【００２３】
なお、複数本の内部導体１１０の、ケーブル保持部２００内に、山型状にわん曲した山型わん曲部１１１を形成すると、内部導体１１０の露出部分の長さを常に一定に保つことができて、コンタクト３１０のケーブル側接続部３１１への加圧接触状態をより一層安定化することができる。また、図２（ｃ）に示すように、嵌合状態の上からシェル５００で覆い、静電遮へい、電磁遮へいすることができる。
【００２４】
図３（ａ）〜（ｃ）は本発明の第２の実施例の、嵌合順に示された断面側面図である。
第１の実施例では、ケーブル１００をその長手方向に挿入、移動する構造となっているが、この第２の実施例では、ケーブル１００がその長手方向に対し垂直方向に挿入、移動して、その複数本の内部導体１１０の先端が、第１の実施例と同様に、対応するコンタクト３１０ａの、ケーブル側接続部３１１ａに対し、内部導体１１０の長手方向に加圧接触する構造となっている。
なお、この場合、各内部導体１１０の先端を対応するコンタクト３１０ａのケーブル側接続部３１１ａに加圧接触させた状態でその露出部分がわん曲するようにするには、先ず各内部導体１１０の先端を対応するコンタクト３１０ａのケーブル側接触部３１１ａに接触させておき、その状態でケーブル保持部２００ａをケーブル１００の長手方向に対し垂直に導入、移動させる必要がある。
【００２５】
この第２の実施例では、ケーブル１００の長手方向への移動が無いので、コネクタ部３００ａ全体の長さを短くすることができる、という利点がある。また、この第２の実施例では、ケーブル保持部２００ａの挿入、移動方向がケーブル１００の長手方向に対し垂直方向であるので、ケーブル・コネクタ間固定部４００ａも、ケーブル１００の長手方向に対し垂直方向の、圧入固定用孔４１０ａ、圧入用突出部４２０ａとなっている。
【００２６】
これら実施例において、ケーブル保持部２００，２００ａは、インサート成形によって一体型で形成してもよいが、図４（ａ）〜（ｃ）に示すように、上下分割型とすることもできる。また、ケーブル保持部内の内部導体は、この図４（ａ）〜（ｃ）のように、山型わん曲部１１１の無い、ストレートの構造の内部導体１１０ａであってもよい。
【００２７】
図５（ａ）は、ケーブル内部導体先端部分の変形例、図５（ｂ）はコンタクトのケーブル側接続部部分の変形例を示す断面側面図である。
図５（ａ）に示すように、ケーブル１００ｂの、内部導体１１０ｂの先端部分を、Ｕ字状に逆方向に折り返した構造（先端折返し部１１２）とすることにより、内部導体先端を単に切断しただけの構造に比べて、コンタクト３１０，３１０ａのケーブル側接続部３１１，３１１ａへの移動、加圧接触動作をより一層、円滑、安定化することができる。
【００２８】
また、図５（ｂ）に示すように、コンタクト３１０ｂの、ガイド用突起３１２ｂからケーブル側接続部３１１ｂにつながる面を、その傾斜が徐々に変化するガイド斜面３１３とすることにより、ケーブル１００の内部導体１１０先端を、より一層、円滑かつ安定して、ケーブル側接続部３１１ｂへと導き入れることができる。
【００２９】
【発明の効果】
以上説明したように本発明は、ケーブルの端末部分に、この端末部分の複数本の内部導体それぞれの、被覆切除部分のうちの先端からの設定長さ寸法だけ露出させて保持する、ケーブル保持部を設け、複数のコンタクトをコネクタインシュレータに配列、保持してこのコネクタインシュレータに、このケーブル保持部をガイドして、ケーブルの複数本の内部導体それぞれの先端部分が複数のコンタクトそれぞれのケーブル側接続部に対応、加圧接触してその露出部分がわん曲するまで移動させて、このケーブル保持部を保持固定する、ケーブル導入保持部を備えたコネクタ部を有する構成、構造とすることにより、ケーブルの複数本の内部導体それぞれの先端部分が対応するコンタクトのケーブル側接続部に対し、内部導体中心軸方向に加圧接触するようにすればよいので、ケーブル内部導体のまわりに内部導体・コンタクト間接続のためのスペースを設ける必要がなくなり、コネクタ部の複数のコンタクトの配置間隔をケーブルの複数本の内部導体の配置間隔と同程度にすることができて、狭ピッチ化、及び高密度化を実現することができる、という効果がある。
【図面の簡単な説明】
【図１】本発明の第１の実施例を示す、嵌合接続前後の斜視図である。
【図２】図１に示された第１の実施例の、嵌合接続手順を示す断面側面図である。
【図３】本発明の第２の実施例の、嵌合順に示された断面側面図である。
【図４】本発明の実施例における、ケーブル保持部の構造の、上下分割型の例を示す、分解断面側面図、組立状態の断面側面図及び外観側面図である。
【図５】本発明の実施例における、ケーブルの複数本の内部導体それぞれの、変形例を示す側面図、及びコネクタ部の複数のコンタクトの変形例を示す側面図である。
【図６】従来のケーブルコネクタの一例を示す、平面図、断面側面図、及びコンタクトと内部導体との間の接続構造を説明するための部分的な正面図である。
【符号の説明】
１００，１００ａ，１００ｂ，１００ｘ，１００ｙ  ケーブル
１１０，１１０ａ，１１０ｂ，１１０ｘ，１１０ｙ  内部導体
１１１  山型わん曲部
１２０  絶縁被覆
２００，２００ａ，２００ｂ  ケーブル保持部
２１０，２１０ａ  挿入移動用突起
２２０  上側ケーブル保持部
２３０  下側ケーブル保持部
３００，３００ａ，３００ｘ  コネクタ部
３１０，３１０ａ，３１０ｂ，３１０ｘ，３１０ｙ  コンタクト
３１１，３１１ａ，３１１ｂ  ケーブル側接続部
３１２，３１２ａ，３１２ｂ  ガイド用突起
３１３  ガイド斜面
３１５ｘ，３１５ｙ  圧接部
３１６ｘ，３１６ｙ  Ｕ字スロット
３２０，３２０ａ，３２０ｘ  コネクタインシュレータ
３２１，３２１ａ  コンタクト保持部
３２２，３２２ａ  ケーブル導入保持部
３２３  隔壁
３２５ｘ，３２５ｙ  ケーブル接続部
４００，４００ａ  ケーブル・コネクタ間固定部
４１０，４１０ａ  圧入固定用孔
４２０，４２０ａ  圧入用突出部
５００  シェル
６００ｘ，６００ｙ  ケーブル圧入接続保持部
【図１】
0003632174.tif 000002
【図２】
0003632174.tif 000003
【図３】
0003632174.tif 000004
【図４】
0003632174.tif 000005
【図５】
0003632174.tif 000006
【図６】
0003632174.tif 000007